(57)【要約】【課題】照度ムラを抑制して光量を調整する調光装置を備えたプロジェクターを提供する。【解決手段】プロジェクターは、第１レンズアレイ３２１と第２レンズアレイ３２２との間に、光源の光軸Ａｘを挟んで配置される遮光部６．７を有し、遮光部６，７の回転によって通過光量を調整する調光装置を備え、遮光部６，７は、最大遮光状態から所定の角度回転された状態までの範囲の第１状態で、通過光量を調整する第１遮光板６１，７１と、遮光部６，７が所定の角度を超えて回転された第２状態において、第１遮光板６１，７１とで通過光量を調整する第２遮光板６２，７２と、を有し、第２遮光板６２，７２の先端には、複数の切欠き６２ａ，７２ａ、および隣り合う切欠き６２ａ，７２ａによって形成された突起部６２ｔ，７２ｔが設けられている。【選択図】図３
2015219390.tif 000002
【特許請求の範囲】
【請求項１】
光源、および前記光源から射出された光を画像情報に応じて変調する光変調装置を備えたプロジェクターであって、
複数の第１小レンズを有し、前記光源から射出された光を複数の部分光に分割する第１レンズアレイと、
複数の第２小レンズを有し、前記複数の部分光に対応する第２レンズアレイと、
前記第１レンズアレイと前記第２レンズアレイとの間に、前記光源の光軸を挟んで配置される一対の遮光部を有し、前記一対の遮光部の回転によって互いの離間距離が変更されることにより前記第１レンズアレイから射出された光の通過光量を調整する調光装置と、
を備え、
前記一対の遮光部は、
前記第１レンズアレイから射出される光の遮光量が最も大きい最大遮光状態から、当該遮光部が所定の角度回転された状態までの範囲の第１状態で、前記通過光量を調整する第１遮光板と、
前記遮光部が前記所定の角度を超えて回転された第２状態において、前記第１遮光板とで前記通過光量を調整する第２遮光板と、をそれぞれ有し、
前記第２遮光板の前記光軸側の先端には、前記一対の遮光部それぞれにおける前記第１遮光板の間を通過した光の一部を通過させる複数の切欠き、および隣り合う前記切欠きによって形成され、前記一対の遮光部それぞれにおける前記第１遮光板の間を通過した光の一部を遮光する突起部が設けられていることを特徴とするプロジェクター。
【請求項２】
請求項１に記載のプロジェクターであって、
前記複数の第２小レンズは、前記光軸に沿う方向から見て、第１方向および前記第１方向に直交する第２方向に並設され、
前記一対の遮光部は、前記光軸に沿う方向から見て、前記第１方向に沿って開閉するように回転し、
前記突起部および前記切欠きは、前記第２状態において、前記光軸に沿う方向から見て、前記複数の第２小レンズのうちの少なくとも１つに、当該突起部の少なくとも一部、および当該切欠きの少なくとも一部が重なるように形成されていることを特徴とするプロジェクター。
【請求項３】
請求項２に記載のプロジェクターであって、
前記突起部および前記切欠きは、前記第２方向における前記第２小レンズの１／２の領域に重なるように形成されていることを特徴とするプロジェクター。
【請求項４】
請求項１〜請求項３のいずれか一項に記載のプロジェクターであって、
前記第２レンズアレイは、前記光軸に沿う方向から見て、前記複数の第２小レンズが前記光軸を中心に点対称に形成され、
前記第２遮光板は、前記光軸に沿う方向から見て、前記切欠きおよび前記突起部が前記光軸を中心に点対称に形成されていることを特徴とするプロジェクター。
【請求項５】
請求項１に記載のプロジェクターであって、
前記複数の第２小レンズは、前記光軸に沿う方向から見て、第１方向および前記第１方向に直交する第２方向に並設され、
前記一対の遮光部は、前記光軸に沿う方向から見て、前記第１方向に沿って開閉するように回転し、
前記一対の遮光部は、一方の遮光部における前記第２遮光板の前記切欠きに、他方の遮光部における前記第２遮光板の前記突起部が前記第２方向に隙間を有して挿入される挿入状態を有することを特徴とするプロジェクター。
【請求項６】
請求項１〜請求項５のいずれか一項に記載のプロジェクターであって、
前記第１遮光板は、前記光軸側における先端部の両側が切り欠かれた角切欠部を有し、
前記第２遮光板の先端には、前記角切欠部を通過した光の一部を通過させる前記切欠きが形成されていることを特徴とするプロジェクター。
【発明の詳細な説明】
【技術分野】
【０００１】
本発明は、プロジェクターに関する。
【背景技術】
【０００２】
従来、光源から射出された光を画像情報に応じて変調する光変調装置と、光変調装置にて変調された光を投写する投写レンズとを備えたプロジェクターが知られている。また、投写される画像のコントラストの向上等を目的として、光源から射出された光を画像情報に応じて遮光する光量を変え、光変調装置に入射する光量を調整する調光装置を備えたプロジェクターが知られている（例えば、特許文献１参照）。
【０００３】
特許文献１に記載の調光装置（遮光機構）は、光軸を挟んで対向に配置される一対の遮光部材を有し、この一対の遮光部材が所定の回転軸のまわりに回動することで通過光量を調整する。各遮光部材は、第１遮光板部および第２遮光板部をそれぞれ備え、最大遮光状態では、第１遮光板部のみで光を遮光し、最大遮光状態から所定の角度、回動され、第１遮光板部および第２遮光板部で光を遮光する状態が可能に構成されている。
【先行技術文献】
【特許文献】
【０００４】
【特許文献１】特開２０１３−４４９３３号公報
【発明の概要】
【発明が解決しようとする課題】
【０００５】
しかしながら、特許文献１に記載の技術では、第１遮光板部のみで光を遮光する状態と、第１遮光板部および第２遮光板部で光を遮光する状態との切り替えの際に通過光量が急激に変化することが考えられる。また、調光装置を構成する部品や、組立のバラツキによって、前述した２つの状態の切り替えが一対の遮光部材の一方と他方とでずれた場合、投写される画像に照度ムラや色ムラが発生する恐れがある。
また、特許文献１に記載のプロジェクターは、放電型の光源が用いられている。放電型の光源は、一対の電極を備え、この一対の電極間に電力が供給されてアーク放電が発せられることにより光を射出するが、このアークの位置は、経時的にずれる。アークの位置がずれると、一対の遮光部材の一方が遮光する光量と、他方の遮光部材が遮光する光量とのバランスがくずれるため、投写される画像の照度ムラや、色ムラがさらに顕著になるという課題もある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源、および前記光源から射出された光を画像情報に応じて変調する光変調装置を備えたプロジェクターであって、複数の第１小レンズを有し、前記光源から射出された光を複数の部分光に分割する第１レンズアレイと、複数の第２小レンズを有し、前記複数の部分光に対応する第２レンズアレイと、前記第１レンズアレイと前記第２レンズアレイとの間に、前記光源の光軸を挟んで配置される一対の遮光部を有し、前記一対の遮光部の回転によって互いの離間距離が変更されることにより前記第１レンズアレイから射出された光の通過光量を調整する調光装置と、を備え、前記一対の遮光部は、前記第１レンズアレイから射出される光の遮光量が最も大きい最大遮光状態から、当該遮光部が所定の角度回転された状態までの範囲の第１状態で、前記通過光量を調整する第１遮光板と、前記遮光部が前記所定の角度を超えて回転された第２状態において、前記第１遮光板とで前記通過光量を調整する第２遮光板と、をそれぞれ有し、前記第２遮光板の前記光軸側の先端には、前記一対の遮光部それぞれにおける前記第１遮光板の間を通過した光の一部を通過させる複数の切欠き、および隣り合う前記切欠きによって形成され、前記一対の遮光部それぞれにおける前記第１遮光板の間を通過した光の一部を遮光する突起部が設けられていることを特徴とする。
【０００８】
本適用例によれば、調光装置は、第１遮光板および第２遮光板をそれぞれ有する一対の遮光部を備え、この一対の遮光部が回転する程度に応じて、遮光する光量を変えて、通過光量を調整する。すなわち、最大遮光状態から所定の角度、回転された状態までの第１状態では、第１遮光板が遮光し、所定の角度を超えて回転された第２状態では、第１遮光板および第２遮光板で遮光する。
また、第２遮光板の先端には、複数の切欠き、および隣り合う切欠きで突起部が形成されているので、第１状態から第２状態に切り替わる際の遮光量の変化をなだらかなものとすることが可能となる。また、調光装置を構成する部品や、組立のバラツキによって、一対の遮光部の一方と他方とで位置がずれた場合であっても、双方の遮光量の差を小さなものとすることが可能となる。
したがって、第２レンズアレイ上における照度分布の急激な変化を抑制できるので、プロジェクターは、照度ムラや色ムラを抑制しつつ、コントラストを高めた画像の投写が可能となる。
【０００９】
［適用例２］上記適用例に係るプロジェクターにおいて、前記複数の第２小レンズは、前記光軸に沿う方向から見て、第１方向および前記第１方向に直交する第２方向に並設され、前記一対の遮光部は、前記光軸に沿う方向から見て、前記第１方向に沿って開閉するように回転し、前記突起部および前記切欠きは、前記第２状態において、前記光軸に沿う方向から見て、前記複数の第２小レンズのうちの少なくとも１つに、当該突起部の少なくとも一部、および当該切欠きの少なくとも一部が重なるように形成されていることが好ましい。
【００１０】
発光点が経時的にずれる光源、例えば、一対の電極間でアーク放電を行うことによって光を射出する放電型の光源は、アーク放電の位置が経時的にずれるので、第２レンズアレイの複数の第２小レンズには、中心からずれた位置に光源像が形成されることとなる。
本適用例によれば、第２遮光板は、上述したように、複数の第２小レンズのうちの少なくとも１つに、突起部の少なくとも一部、および切欠きの少なくとも一部が重なるように形成されている。これによって、発光点がずれ、光軸を挟んで対称に配置される第２小レンズに、光源像が非対称に形成された場合であっても、遮光部は、第２小レンズにおける光源像に対応する光の照度が高い部分や低い部分を急激に遮光する（通過させる）ことを回避できる。よって、第１状態から第２状態に切り替えられる際、および第２状態において、第２小レンズに形成される光源像に対応する光強度の急激な変化を抑制することが可能となる。したがって、プロジェクターは、光源の発光点がずれても、すなわち、長期に亘って投写しても照度ムラおよび色ムラを抑制してコントラストを高めた画像の投写が可能となる。
【００１１】
［適用例３］上記適用例に係るプロジェクターにおいて、前記突起部および前記切欠きは、前記第２方向における前記第２小レンズの１／２の領域に重なるように形成されていることが好ましい。
【００１２】
本適用例によれば、第２遮光板は、上述したような突起部および切欠きを有しているので、光源の発光点がずれた場合であっても、突起部で遮光する光と、切欠きで通過させる光とのバランスが良好となり、第２小レンズに形成される光源像に対応する光強度の急激な変化をさらに抑制することが可能となる。よって、プロジェクターは、長期に亘って照度ムラおよび色ムラをさらに抑制してコントラストを高めた画像の投写が可能となる。
【００１３】
［適用例４］上記適用例に係るプロジェクターにおいて、前記第２レンズアレイは、前記光軸に沿う方向から見て、前記複数の第２小レンズが前記光軸を中心に点対称に形成され、前記第２遮光板は、前記光軸に沿う方向から見て、前記切欠きおよび前記突起部が前記光軸を中心に点対称に形成されていることが好ましい。
【００１４】
本適用例によれば、複数の第２小レンズ、および第２遮光板の切欠き、突起部は、光軸を中心に点対称に形成されているので、対称に配置される第２小レンズに形成される光源像に対応する光で光変調装置に重畳された光は、均一なものとなる。よって、プロジェクターは、照度ムラおよび色ムラをさらに抑制してコントラストを高めた画像の投写が可能となる。
【００１５】
［適用例５］上記適用例に係るプロジェクターにおいて、前記複数の第２小レンズは、前記光軸に沿う方向から見て、第１方向および前記第１方向に直交する第２方向に並設され、前記一対の遮光部は、前記光軸に沿う方向から見て、前記第１方向に沿って開閉するように回転し、前記一対の遮光部は、一方の遮光部における前記第２遮光板の前記切欠きに、他方の遮光部における前記第２遮光板の前記突起部が前記第２方向に隙間を有して挿入される挿入状態を有することが好ましい。
【００１６】
本適用例によれば、一対の遮光部は、切欠きおよび突起部が上述したように形成され、挿入状態を有するように構成されている。これによって、一対の遮光部は、最大遮光状態からの回転角度がより小さな角度で、第１状態から第２状態に切り替えられるので、プロジェクターは、より広範囲の回転角度で照度ムラおよび色ムラを抑制してコントラストを高めた画像の投写が可能となる。
【００１７】
［適用例６］上記適用例に係るプロジェクターにおいて、前記第１遮光板は、前記光軸側における先端部の両側が切り欠かれた角切欠部を有し、前記第２遮光板の先端には、前記角切欠部を通過した光の一部を通過させる前記切欠きが形成されていることが好ましい。
【００１８】
本適用例によれば、第１遮光板には、角切欠部が形成され、第２遮光板には、角切欠部に対応する位置に切欠きが形成されている。これによって、第１状態においても、プロジェクターは、照度ムラおよび色ムラを抑制した画像の投写が可能となる。
【図面の簡単な説明】
【００１９】
【図１】第１実施形態のプロジェクターの概略構成を示す模式図。
【図２】第１実施形態の光学ユニットの一部を示す斜視図。
【図３】第１実施形態の遮光部を示す斜視図であり、最大遮光状態を示す図。
【図４】第１実施形態の切欠きおよび突起部を説明するための模式図。
【図５】第１実施形態の遮光部および第２レンズアレイの側面図。
【図６】遮光部の回転角度と、スクリーン上における照度比との関係をシミュレーションした結果を示すグラフであり、第１実施形態の調光装置を用いた場合と、従来の調光装置を用いた場合とで比較したグラフ。
【図７】第１状態から第２状態に切り替わった際の第２レンズアレイへの入射光を模式的に示す図。
【図８】第２実施形態における第２遮光板の一部および第２レンズアレイを光軸に沿う方向から見た平面図。
【図９】遮光部の回転角度と、スクリーン上における照度比との関係をシミュレーションした結果を示すグラフであり、第２実施形態の調光装置を用いた場合と、従来の調光装置を用いた場合とで比較したグラフ。
【図１０】第３実施形態における第２遮光板を説明するための図。
【図１１】第３実施形態の遮光部および第２レンズアレイの側面図。
【図１２】遮光部の回転角度と、スクリーン上における照度比との関係をシミュレーションした結果を示すグラフであり、第３実施形態の調光装置を用いた場合と、従来の調光装置を用いた場合とで比較したグラフ。
【発明を実施するための形態】
【００２０】
（第１実施形態）
以下、本実施形態に係るプロジェクターについて、図面を参照して説明する。
本実施形態のプロジェクターは、光源から射出された光を画像情報に応じて変調し、変調した光をスクリーン等の投写面に拡大投写する。
【００２１】
〔プロジェクターの主な構成〕
図１は、本実施形態のプロジェクター１の概略構成を示す模式図である。
図１に示すように、プロジェクター１は、外装を構成する外装筐体２、制御部（図示省略）、光源装置３１を有する光学ユニット３、光源装置３１や制御部等に電力を供給する電源装置４、および光学ユニット３や電源装置４を冷却する冷却装置（図示省略）を備える。
【００２２】
外装筐体２は、詳細な説明は省略するが、複数の部材で構成され、外気を取り込む吸気口、および外装筐体２内部の温まった空気を外部に排気する排気口等が設けられている。
【００２３】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２４】
光学ユニット３は、制御部による制御の下、光源装置３１から射出された光を光学的に処理して投写する。
光学ユニット３は、図１に示すように、光源装置３１に加え、インテグレーター照明光学系３２、色分離光学系３３、リレー光学系３４、光学装置３５、投写レンズ３６、調光装置５、およびこれらの光学部品を光路上の所定位置に配置する光学部品用筐体３７を備える。
光学ユニット３は、図１に示すように平面視略Ｌ字状に形成され、一方の端部に光源装置３１が着脱可能に配置され、他方の端部に投写レンズ３６が配置される。なお、以下では、説明の便宜上、光源装置３１から光が射出される方向を＋Ｘ方向、投写レンズ３６から光が射出される方向を＋Ｙ方向（前方向）、プロジェクター１が机上等に据え置かれる姿勢における上側を＋Ｚ側として記載する。
【００２５】
光源装置３１は、超高圧水銀ランプやメタルハライドランプ等からなる放電型の光源３１１、およびリフレクター３１２等を備える。
詳細な説明は省略するが、光源３１１は、対向して配置される一対の電極を有し、この一対の電極に電力が供給されることによって電極間でアーク放電が発生して光を射出する。光源装置３１は、光源３１１から射出された光をリフレクター３１２にて反射し、インテグレーター照明光学系３２に向けて射出する。
【００２６】
インテグレーター照明光学系３２は、第１レンズアレイ３２１、第２レンズアレイ３２２、偏光変換素子３２３、および重畳レンズ３２４を備える。
第１レンズアレイ３２１は、光源３１１の光軸Ａｘに沿う方向から見て略矩形の輪郭を有する複数の第１小レンズＬ１（図４参照）が±Ｙ方向および±Ｚ方向にマトリクス状に配列された構成を有しており、光源装置３１から射出された光を複数の部分光に分割する。±Ｚ方向は第１方向に相当し、±Ｙ方向は第２方向に相当する。
【００２７】
第２レンズアレイ３２２は、光軸Ａｘに沿う方向から見て略矩形の輪郭を有する複数の第２小レンズＬ２（図５参照）が±Ｚ方向（第１方向）および±Ｙ方向（第２方向）にマトリクス状に配列された構成を有している。各第２小レンズＬ２は、第１レンズアレイ３２１の各第１小レンズＬ１に対応して設けられている。そして、第２レンズアレイ３２２は、重畳レンズ３２４とともに、第１レンズアレイ３２１から射出された部分光を後述する光変調装置３５１に略重畳させる。
インテグレーター照明光学系３２は、第１レンズアレイ３２１が第２レンズアレイ３２２の各第２小レンズＬ２に光源像を形成し、この各第２小レンズＬ２の多数の光源像が、それぞれ光変調装置３５１の表面を重畳して照明することにより、光変調装置３５１上の照度の均一性を向上させている。
【００２８】
偏光変換素子３２３は、偏光分離膜および位相差板（いずれも図示省略）を備え、第２レンズアレイ３２２から射出されたランダム光を光変調装置３５１で利用可能な略１種類の偏光光に揃える機能を有している。また、第１レンズアレイ３２１および第２レンズアレイ３２２は、第２レンズアレイ３２２から射出された光が偏光変換素子３２３の偏光分離膜上に集光するように形成されており、第２レンズアレイ３２２から射出された光は、偏光変換素子３２３で反転する。
【００２９】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３０】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００３１】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備える。
光変調装置３５１は、透過型の液晶パネル、液晶パネルの光入射側に配置された入射側偏光板、および液晶パネルの光射出側に配置された射出側偏光板を備える。
光変調装置３５１は、図示しない複数の微小画素がマトリクス状に形成された矩形状の画像形成領域を有する。各画素が画像情報に応じた光透過率に設定され、画像形成領域内には、表示画像が形成される。そして、各色光は、光変調装置３５１にて変調された後、クロスダイクロイックプリズムに射出される。
【００３２】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００３３】
投写レンズ３６は、複数のレンズを備え、ズーム調整およびフォーカス調整の機能を有している。投写レンズ３６は、クロスダイクロイックプリズム３５２にて合成された光をスクリーン上に拡大投写する。
【００３４】
図２は、光学ユニット３の一部を示す斜視図であり、調光装置５を分解した状態を示す図である。
調光装置５は、図２に示すように、一対の遮光部６，７、駆動部５１および駆動部５１を支持するベース部５０を備える。調光装置５は、遮光部６，７が光学部品用筐体３７に設けられた開口部３７１から挿入され、ベース部５０が光学部品用筐体３７にネジ固定される。そして、遮光部６，７は、第１レンズアレイ３２１と第２レンズアレイ３２２との間に、光軸Ａｘを挟んで対向して配置される。
【００３５】
調光装置５は、制御部による制御の下、画像情報に応じて駆動部５１が駆動され、遮光部６，７が回転することにより互いの離間距離が変更され、変更された位置に応じて第１レンズアレイ３２１から射出された光の通過光量を調整する。遮光部６，７は、光軸Ａｘに沿う方向から見て、第１方向（±Ｚ方向）に沿って開閉するように回転する。
調光装置５は、遮光部６，７が閉じて第１レンズアレイ３２１から射出される光の遮光量が最も大きい最大遮光状態から遮光部６，７が最も開いて光を最も通過させる全開状態の間で光量を調整する。
そして、調光装置５は、第２レンズアレイ３２２に入射する光量、ひいては、光変調装置３５１に入射する光量を調整し、投写される画像のコントラスト向上に寄与する。
【００３６】
〔調光装置の構成〕
ここで、調光装置５について詳細に説明する。
調光装置５は、前述したように、遮光部６，７、駆動部５１、およびベース部５０を備える。駆動部５１は、ステッピングモーター（以下「モーター」と略す）５２（図２参照）や図示しない複数のギア等を備え、ベース部５０に支持される。モーター５２は、図示しないケーブルによって制御部に接続されており、遮光部６，７は、それぞれが異なるギアに支持され、制御部の制御に基づいて、モーター５２が駆動されることによって互いに反対方向に回転し、互いの離間距離が変更される。
【００３７】
遮光部６，７について、詳細に説明する。
図３は、遮光部６，７を示す斜視図であり、最大遮光状態を示す図である。なお、図３において、第１レンズアレイ３２１および第２レンズアレイ３２２に対する遮光部６，７の位置を明確にするために、第１レンズアレイ３２１および第２レンズアレイ３２２（二点鎖線で示す）を模式的に示す。
【００３８】
図３に示すように、遮光部６は、板金製の第１遮光板６１、および第２遮光板６２を有し、第２遮光板６２は第１遮光板６１の第２レンズアレイ３２２側に結合されている。遮光部７は、板金製の第１遮光板７１、および第２遮光板７２を有し、第２遮光板７２は第１遮光板７１の第２レンズアレイ３２２側に結合されている。
遮光部６，７は、前述したように、それぞれが異なるギアに支持され、第２レンズアレイ３２２側に位置する中心軸を中心に回転する。すなわち、遮光部６，７は、回転中心に対し、第１遮光板６１，７１が第２遮光板６２，７２の外側に位置して回転する。
【００３９】
第１遮光板６１は、図３に示すように、最大遮光状態において、光軸Ａｘに略直交する方向に延在するように平面視矩形状に形成されており、光軸Ａｘ側における先端部の両側には、矩形状に切り欠かれた角切欠部６１ａが形成されている。
【００４０】
第２遮光板６２は、平面視矩形状の結合部６２１および結合部６２１から屈曲された屈曲部６２２を有し、結合部６２１が第１遮光板６１に結合されている。具体的に、第２遮光板６２は、第１遮光板６１の光軸Ａｘ側の先端が結合部６２１から飛び出し、屈曲部６２２が光軸Ａｘ側に位置して、第１遮光板６１の第２レンズアレイ３２２側に結合されている。
【００４１】
第１遮光板７１は、最大遮光状態において、光軸Ａｘに略直交する方向に延在する平面視矩形状の平坦部７１１、および平坦部７１１の光軸Ａｘとは反対側から第１レンズアレイ側に屈曲された屈曲部７１２を有している。平坦部７１１の光軸Ａｘ側における先端部の両側には、矩形状に切り欠かれた角切欠部７１ａが形成されている。
【００４２】
第２遮光板７２は、平面視矩形状の結合部７２１および結合部７２１から屈曲された屈曲部７２２を有し、結合部７２１が第１遮光板７１に結合されている。具体的に、第２遮光板７２は、平坦部７１１の光軸Ａｘ側の先端が結合部７２１から飛び出し、屈曲部７２２が光軸Ａｘ側に位置して、平坦部７１１の第２レンズアレイ３２２側に結合されている。
【００４３】
また、屈曲部６２２の先端には、複数の切欠き６２ａ、および隣り合う切欠き６２ａによって形成された複数の突起部６２ｔが設けられている。屈曲部７２２の先端には、複数の切欠き７２ａ、および隣り合う切欠き７２ａによって形成された複数の突起部７２ｔが設けられている。
図４は、切欠き６２ａ，７２ａおよび突起部６２ｔ，７２ｔを説明するための模式図である。具体的に、図４は、遮光部６，７が最大遮光状態から回転された状態の切欠き６２ａ，７２ａおよび突起部６２ｔ，７２ｔ近傍の遮光部６，７、および第１レンズアレイ３２１を光軸Ａｘに沿う方向から見た平面図である。
【００４４】
本実施形態の第１レンズアレイ３２１は、図４に示すように、第１小レンズＬ１が±Ｚ方向（第１方向）に７列、±Ｙ方向（第２方向）に５列並設された構成を有している。そして、複数の第１小レンズＬ１は、光軸Ａｘを中心に点対称に形成されている。
本実施形態では平面図は省略するが、第２レンズアレイ３２２における複数の第２小レンズＬ２は、複数の第１小レンズＬ１にそれぞれ対応して設けられ、第１小レンズＬ１と同様に、±Ｚ方向（第１方向）に７列、±Ｙ方向（第２方向）に５列並設されている。そして、複数の第２小レンズＬ２は、光軸Ａｘを中心に点対称に形成されている。
【００４５】
突起部６２ｔ，７２ｔおよび切欠き６２ａ，７２ａは、図４に示すように、矩形状に形成され、±Ｙ方向（第２方向）に並設された複数の第１小レンズＬ１に対応するように形成されている。すなわち、突起部６２ｔおよび切欠き６２ａは、光軸Ａｘに沿う方向から見て、±Ｙ方向（第２方向）に並設された５つの第１小レンズＬ１それぞれに、突起部６２ｔの少なくとも一部、および切欠き６２ａの少なくとも一部が重なるように形成されている。同様に、突起部７２ｔおよび切欠き７２ａは、光軸Ａｘに沿う方向から見て、±Ｙ方向（第２方向）に並設された５つの第１小レンズＬ１それぞれに、突起部７２ｔの少なくとも一部、および切欠き７２ａの少なくとも一部が重なるように形成されている。
【００４６】
図示は省略するが、切欠き６２ａ，７２ａおよび突起部６２ｔ，７２ｔは、第２レンズアレイ３２２に対しても、±Ｙ方向（第２方向）に並設された複数の第２小レンズに対応するように形成されている。すなわち、突起部６２ｔおよび切欠き６２ａは、光軸Ａｘに沿う方向から見て、±Ｙ方向（第２方向）に並設された５つの第２小レンズＬ２それぞれに、突起部６２ｔの少なくとも一部、および切欠き６２ａの少なくとも一部が重なるように形成されている。同様に、突起部７２ｔおよび切欠き７２ａは、光軸Ａｘに沿う方向から見て、±Ｙ方向（第２方向）に並設された５つの第２小レンズＬ２それぞれに、突起部７２ｔの少なくとも一部、および切欠き７２ａの少なくとも一部が重なるように形成されている。
また、図４に示すように、複数の切欠き６２ａ，７２ａそれぞれのうち、両側に位置する切欠き６２ａ，７２ａは、角切欠部６１ａ，７１ａそれぞれに対応する位置に形成されている。
【００４７】
〔調光装置の動作〕
次に、調光装置５の動作について説明する。
調光装置５は、制御部による制御の下、駆動部５１が駆動することによって遮光部６，７が回転し、第１レンズアレイ３２１から射出された光の通過量を調整する。遮光部６，７は、最大遮光状態から回転されると、互いの離間距離が徐々に大きくなり、通過する光量が増す。
【００４８】
図５は、遮光部６，７および第２レンズアレイ３２２の側面図であり、（ａ）は最大遮光状態を示す図、（ｂ）〜（ｄ）は、最大遮光状態から遮光部６，７が回転され、遮光部６と遮光部７との間隔が次第に大きくなる状態を示した図である。
【００４９】
第２レンズアレイ３２２は、複数の第２小レンズＬ２を有し、この複数の第２小レンズＬ２は、前述したように、±Ｚ方向（第１方向）に７列、±Ｙ方向（第２方向）に５列配列されている。なお、図５（ａ）に示すように、第２レンズアレイ３２２の±Ｚ方向、すなわち、光軸Ａｘに沿う方向から見て遮光部６，７が開閉する方向に７列並んでいる第２小レンズＬ２において、中央に位置する第２小レンズＬ２を第２小レンズＬ２０とし、第２小レンズＬ２０の上下に順次配置される第２小レンズＬ２を第２小レンズＬ２１，Ｌ２２，Ｌ２３として説明する。そして、光軸Ａｘは、第２小レンズＬ２０の中心に位置し、第２小レンズＬ２０の上下に順次配置される一対の第２小レンズＬ２１，Ｌ２２，Ｌ２３それぞれは、光軸Ａｘを介して対称に位置することとなる。
【００５０】
遮光部６，７は、図５（ａ）に示すように、最大遮光状態において、第１遮光板６１、および第１遮光板７１の平坦部７１１が光軸Ａｘに対して略直交するように配置される。また、遮光部６，７は、最大遮光状態において、第１遮光板７１が第１遮光板６１より第２レンズアレイ３２２側に位置し、光軸Ａｘに沿う方向から見て、第１遮光板６１の光軸Ａｘ側の先端と第１遮光板７１の光軸Ａｘ側の先端とが重なるように配置される。
この最大遮光状態においては、第１レンズアレイ３２１から射出される光は、殆どが第１遮光板６１，７１で遮光され、一部が角切欠部６１ａ，７１ａ、および角切欠部６１ａ，７１ａに対応する位置に設けられた切欠き６２ａ，７２ａ（いずれも図３参照）を通過して第２レンズアレイ３２２に射出される。
【００５１】
遮光部６，７は、最大遮光状態から回転されると、図５（ｂ）に示すように、第１遮光板６１、および平坦部７１１が光軸Ａｘに対して傾斜し、それぞれの先端部が光軸Ａｘから離間し、第１遮光板６１と第１遮光板７１との間から光を通過させる。図５（ｂ）に示すような回転角度において、遮光部６，７を通過した光は、第２小レンズＬ２０を照明する。
【００５２】
遮光部６，７は、最大遮光状態から最大遮光状態に対して所定の角度（以下「切替角度」という）回転された状態までの範囲で、第１遮光板６１，７１が通過光量を調整する第１状態となる。また、本実施形態では、この切替角度は、遮光部６と遮光部７とで僅かに異なって設定されており、具体的には、遮光部６の切替角度が約１７°、遮光部７の切替角度が約１８°に設定されている。
【００５３】
遮光部６，７は、切替角度を超える角度で回転されると、図５（ｃ）に示すように、第１遮光板６１，７１と、第２遮光板６２，７２とで、通過光量を調整する第２状態になる。
この第２状態では、光軸Ａｘに対し、遮光部６は、第１遮光板６１の先端が第２遮光板６２の先端（突起部６２ｔの先端）より遠く離れ、遮光部７は、第１遮光板７１の先端が第２遮光板７２の先端（突起部７２ｔの先端）より遠く離れて位置する。そして、第１遮光板６１と第１遮光板７１との間を通過した光は、一部が第２遮光板６２，７２（突起部６２ｔ，７２ｔ）に遮光され、他は第２遮光板６２と第２遮光板７２との間、および切欠き６２ａ，７２ａを通過して第２レンズアレイ３２２に射出される。
【００５４】
そして、図５（ｃ）に示すような回転角度において、遮光部６，７を通過した光は、第２小レンズＬ２０、第２小レンズＬ２０の上下に位置する一対の第２小レンズＬ２１、および一対の第２小レンズＬ２１のそれぞれ上下に位置する一対の第２小レンズＬ２２の一部を照明する。
【００５５】
遮光部６，７は、第２状態からさらに回転されると、図５（ｄ）に示すように、第１遮光板６１，７１が有効領域（第１レンズアレイ３２１から射出される部分光の領域）外に位置し、第２遮光板６２，７２のみで、通過光量を調整する第３状態になる。本実施形態の調光装置５は、遮光部６，７の回転角度が約５６°以上で第３状態となるように設定されている。図５（ｄ）に示す状態では、遮光部６，７を通過した光は、第２小レンズＬ２０，Ｌ２１，Ｌ２２、および第２小レンズＬ２２の上下に位置する第２小レンズＬ２３の一部を照明する。
【００５６】
図示は省略するが、第３状態から遮光部６，７がさらに回転されると、第２遮光板６２，７２も有効領域外に位置し、調光装置５は、第１レンズアレイ３２１から射出される光を遮光しない全開状態となり、有効領域内の光は、全ての第２小レンズＬ２０，Ｌ２１，Ｌ２２，Ｌ２３を照明する。
このように、遮光部６，７は、最大遮光状態から全開状態に向かって回転角度が大きくなるに従って、第２小レンズＬ２０から一対の第２小レンズＬ２１，Ｌ２２，Ｌ２３を順次照射するように、互いの離間距離が変更され、通過光量を調整する。
【００５７】
次に、遮光部６，７の回転角度と、スクリーン上における照度比との関係について、第２遮光板６２，７２に切欠き６２ａ，７２ａが形成されていない従来の調光装置と比較して説明する。また、光源３１１は、一対の電極間に発生するアーク放電の位置が経時的にずれる（アークずれ）ため、発光点がずれるが、このアークずれの影響を、アークが上方にずれた場合を例示して説明する。なお、以下では、説明の便宜上、従来の調光装置を調光装置１００とし、調光装置１００における上側の遮光部を遮光部１００Ｕ、下側の遮光部を遮光部１００Ｄとして説明する。また、遮光部１００Ｕにおける第１遮光板、第２遮光板を第１遮光板１０１Ｕ、第２遮光板１０２Ｕとし、遮光部１００Ｄにおける第１遮光板、第２遮光板を第１遮光板１０１Ｄ、第２遮光板１０２Ｄとして説明する。
【００５８】
図６は、遮光部の回転角度と、スクリーン上における照度比との関係をシミュレーションした結果を示すグラフであり、本実施形態の調光装置５を用いた場合と、従来の調光装置１００を用いた場合とを比較したグラフである。具体的に、図６（ａ）は、アークずれがない場合のグラフであり、曲線１００Ｎ（点線）は、従来の調光装置１００を用いた場合の特性を示し、曲線５Ｎ（実線）は、本実施形態の調光装置５を用いた場合の特性を示す。図６（ｂ）は、アークずれが発生した場合を示すグラフであり、曲線１００Ａ（点線）は、従来の調光装置１００を用いた場合の特性を示し、曲線５Ａ（実線）は、本実施形態の調光装置５を用いた場合の特性を示す。
【００５９】
また、照度比とは、スクリーン上における照度をスクリーンの上下で比較した値である。具体的に、照度比は、スクリーンを縦方向および横方向それぞれに３分割したうちの、上側３か所の平均照度から、下側３か所の平均照度を引いた値の割合を示すものである。すなわち、照度比が０とは、上側３か所の平均照度と、下側３か所の平均照度との差が０であり、照度比が＋０．１とは、上側３か所の平均照度が下側３か所の平均照度より１０％大きいことを示す。つまり、照度比が０に近い程、照度ムラが小さいこととなる。
【００６０】
アークずれがない場合、図６（ａ）の曲線１００Ｎ，５Ｎに示すように、調光装置５，１００をそれぞれ用いた照度比は、回転角度が約５°の位置で、０．６を超える値となるが、他の回転角度で０近傍の値を示し、調光装置１００を用いた場合と、調光装置５を用いた場合とで、大差のないものとなる。なお、回転角度が約５°の位置で、照度比が高くなる理由は、最大遮光状態において、第１遮光板６１の先端と、第１遮光板７１の先端とが光軸Ａｘに沿う方向にずれて重なるように配置されていることにより、回転角度が約５°の位置では、光軸Ａｘに対する第１遮光板７１の距離が、光軸Ａｘに対する第１遮光板６１の距離より大きいため、光軸Ａｘの下側より上側により多くの光が照射されるためである。
【００６１】
アークずれがある場合、従来の調光装置１００を用いた場合の照度比は、図６（ｂ）における曲線１００Ａに示すように、大きく変動する。特に、回転角度が２０°を下まわる回転角度を挟んで、大きく変動する。これは、各第２小レンズＬ２に、光源像がずれて形成される（本実施形態の場合、光源像は上方にずれる）ため、光軸Ａｘを挟んで対称の位置に配置される一方の第２小レンズＬ２と他方の第２小レンズとに形成される光源像は、光軸に対して異なる距離に形成されるが、調光装置１００を用いた場合、遮光部１００Ｕ，１００Ｄの一方では光の輝度が高い部分を、他方では光の輝度が低い部分を急激に遮光する（通過させる）ためである。
【００６２】
アークずれがある場合、従来の調光装置１００を用いた場合の照度比が大きく変動する理由についてさらに説明する。
図７は、第１状態から第２状態に切り替わった際の第２レンズアレイ３２２への入射光を模式的に示す図であり、本実施形態の調光装置５を用いた場合と、従来の調光装置１００を用いた場合とで比較した図である。具体的に、図７（ａ）は、従来の調光装置１００を用いた場合の遮光部１００Ｕ，１００Ｄおよび第２レンズアレイ３２２を示す図であり、図７（ｂ）は本実施形態の調光装置５を用いた場合の遮光部６，７および第２レンズアレイ３２２を示す図である。
【００６３】
アークずれがある場合、第２小レンズＬ２０の上側に位置する第２小レンズＬ２１の光源像は、この第２小レンズＬ２１の上側に位置する第２小レンズＬ２２寄りにずれ、第２小レンズＬ２０の下側に位置する第２小レンズＬ２１の光源像は、この第２小レンズＬ２１の上側に位置する第２小レンズＬ２０寄りにずれることとなる。すなわち、光軸Ａｘを挟んで対称に配置される第２小レンズＬ２１，Ｌ２２，Ｌ２３それぞれには、光源像が非対称に形成される。
【００６４】
そして、従来の調光装置１００を用いた場合、第２小レンズＬ２０に通過光が照射される状態から、第２小レンズＬ２０の上下に位置する第２小レンズＬ２１の縁部の領域に通過光が照明される状態となるように遮光部１００Ｕ，１００Ｄが回転されると、調光装置１００は、この間、第１遮光板１０１Ｕ，１０１Ｄで通過光量を調整する第１状態から、図７（ａ）に示すように、第２状態に切り替えられる。遮光部１００Ｕ，１００Ｄは、この第２状態で第１遮光板１０１Ｕ，１０１Ｄおよび第２遮光板１０２Ｕ，１０２Ｄで通過光量を調整する。第２小レンズＬ２に形成される光源像は上方にずれているので、第１状態から第２状態に切り替えられる間、第２小レンズＬ２０の上方に位置する第２小レンズＬ２１においては、この第２小レンズＬ２１の下部により小さな光量の通過光が照射され、第２小レンズＬ２０の下方に位置する第２小レンズＬ２１においては、この第２小レンズＬ２１の上部により大きな光量の通過光が照射される。すなわち、一対の第２小レンズＬ２１においては、下部より上部により大きな光量が照射される。そして、前述したように、第２レンズアレイ３２２から射出された光は、偏光変換素子３２３で反転するため、光変調装置３５１に照射される光量は、上側より、下側が大きなものとなる。すなわち、照度比は、図６（ｂ）の曲線１００Ａに示すように、回転角度が約１５°〜約２０°の間で下降する。
【００６５】
そして、図７（ａ）に示す状態からさらに回転されると、遮光部１００Ｕ，１００Ｄを通過した光は、第２小レンズＬ２０、および上下の第２小レンズＬ２１の一部に照射されている状態から徐々に上下の第２小レンズＬ２１全体に照射されるように、照射領域が広がる。この間の光量の増え方は、光源像が上方にずれているが照射領域が広がることで均一化される方向に変わる。すなわち、照度比は、回転角度が約１５°〜約２０°において下降する状態から逆転し、図６（ｂ）の曲線１００Ａに示すように、回転角度が約２０°〜約２５°の間で上昇する。同様に、従来の調光装置１００を用いた場合、回転角度が約１５°〜約２５°の間に比べ、通過光量が増えることにより上下の変動量は小さくなるが、回転角度が約２５°〜約４５°の間においても、照度比は上下に変動する。
【００６６】
このように、通過光が照明される各第２小レンズＬ２の境界の前後で、光軸Ａｘを挟んで上側と下側とで光量の増し方が変わり、照度比は、図６（ｂ）に示すように、回転角度に応じて上下に変動することとなる。そして、調光装置１００を用いた場合の照度比は、例えば、図６（ｂ）の曲線１００Ａに示すように、回転角度が約２０°で約−０．５、回転角度が約２５°で約０．１であり、また、その差は約０．６となる。すなわち、スクリーン上における照度は、回転角度が約２０°において下側が上側より約５０％高く、回転角度が約２５°において上側が下側より約１０％高くなり、その差は約６０％となる。
【００６７】
一方、本実施形態の調光装置５を用いた場合、第１状態から第２状態に切り替えられた場合、図７（ｂ）に示すように、第２遮光板６２，７２の先端の間に加え、切欠き６２ａ，７２ａで光を通過させる。
突起部６２ｔおよび切欠き６２ａは、第２状態において、光軸Ａｘに沿う方向から見て、±Ｙ方向に並設された５つの第２小レンズＬ２それぞれに、突起部６２ｔの少なくとも一部、および切欠き６２ａの少なくとも一部が重なるように形成されている。同様に、突起部７２ｔおよび切欠き７２ａは、第２状態において、光軸Ａｘに沿う方向から見て、±Ｙ方向に並設された５つの第２小レンズＬ２それぞれに、突起部７２ｔの少なくとも一部、および切欠き７２ａの少なくとも一部が重なるように形成されている。
これによって、遮光部６，７が回転された際に、第２小レンズＬ２における光源像に対応する光の照度が高い部分や低い部分を急激に遮光する（通過させる）ことを回避し、第２小レンズＬ２に形成される光源像に対応する光強度の急激な変化をなだらかにしている。
【００６８】
また、切欠き６２ａ，７２ａは、第１状態から第２状態に切り替わる際、この切欠き６２ａ，７２ａを通過する光が第２小レンズＬ２１の中心より光軸Ａｘ側にずれた位置に照射されるように形成されている。具体的に、第１状態から第２状態に切り替わる際の切欠き６２ａを通過する光は、光軸Ａｘの下側の第２小レンズＬ２１の中心より上側にずれた位置に照射され、切欠き７２ａを通過する光は、光軸Ａｘの上側の第２小レンズＬ２１の中心より下側にずれた位置に照射される。
【００６９】
そして、調光装置５を用いた場合の照度比は、例えば、図６（ｂ）の曲線５Ａに示すように、回転角度が約２０°で約−０．２、回転角度が約２５°で約−０．１であり、また、その差は約０．１となる。すなわち、スクリーン上における照度は、回転角度が約２０°において下側が上側より約２０％高く、回転角度が約２５°において下側が上側より約１０％高く、その差は約１０％となる。
【００７０】
また、図６（ｂ）に示すように、回転角度が約２５°〜約４５°の範囲においても、本実施形態の調光装置５を用いた場合には、照度比の上下変動の量が抑制される。
なお、本実施形態では、アークずれが上方に発生した場合を例示したが、これ以外の方向にアークずれが発生した場合でも、同様に照度比の変動をなだらかなものとすることが可能である。
【００７１】
以上説明したように、本実施形態によれば、以下の効果を得ることができる。
（１）調光装置５が切欠き６２ａ，７２ａおよび突起部６２ｔ，７２ｔを有する第２遮光板６２，７２を備えているので、第１状態から第２状態に切り替わる際の遮光量（通過光量）の変化をなだらかなものとすることが可能となる。また、調光装置５を構成する部品や、組立のバラツキによって、一対の遮光部６，７の一方と他方とで位置がずれた場合であっても、双方の遮光量の差を小さなものとすることが可能となる。
したがって、第２レンズアレイ３２２上における照度分布の急激な変化を抑制できるので、プロジェクター１は、照度ムラや色ムラを抑制しつつ、コントラストを高めた画像の投写が可能となる。
【００７２】
（２）第２遮光板６２，７２は、第２状態において、第２小レンズＬ２に、突起部６２ｔ，７２ｔの少なくとも一部、および切欠き６２ａ，７２ａの少なくとも一部が重なるように形成されている。これによって、発光点がずれ、光軸Ａｘを挟んで対称に配置される第２小レンズＬ２に、光源像が非対称に形成された場合であっても、第２小レンズＬ２における光源像に対応する光の照度が高い部分や低い部分を急激に遮光する（通過させる）ことを回避できる。よって、第１状態から第２状態に切り替えられる際、および第２状態において、第２小レンズＬ２に形成される光源像に対応する光強度の急激な変化を抑制することが可能となる。したがって、プロジェクター１は、光源３１１の発光点がずれても（アークずれが発生しても）、すなわち、長期に亘って投写しても照度ムラおよび色ムラを抑制してコントラストを高めた画像の投写が可能となる。
【００７３】
（３）切欠き６２ａ，７２ａは、第１状態から第２状態に切り替わる際に、この切欠き６２ａ，７２ａを通過する光が第２小レンズＬ２１の中心より光軸Ａｘ側にずれた位置に照射されるように形成されている。これによって、アークずれが発生した場合に、第１状態から第２状態に切り替わる際の照度分布の急激な変化をさらに穏やかに抑制することが可能となる。
【００７４】
（４）第１遮光板６１，７１には、角切欠部６１ａ，７１ａが形成され、第２遮光板６２，７２には、角切欠部６１ａ，７１ａに対応する位置に切欠き６２ａ，７２ａが形成されている。これによって、第１状態においても、プロジェクター１は、照度ムラおよび色ムラを抑制した画像の投写が可能となる。
【００７５】
（第２実施形態）
第２実施形態に係る調光装置について、図面を参照して説明する。以下の説明では、第１実施形態の調光装置５と同様の構成および同様の部材には、同一符号を付し、その詳細な説明は省略または簡略化する。
本実施形態の調光装置における遮光部１６，１７は、第１実施形態の遮光部６，７における第２遮光板６２，７２と異なる第２遮光板１６２，１７２を備える。
【００７６】
図８は、第２遮光板１６２，１７２の一部および第２レンズアレイ３２２を光軸Ａｘに沿う方向から見た平面図である。
複数の第２小レンズＬ２は、第１実施形態で説明したように、また図８に示すように、±Ｚ方向（第１方向）に７列、±Ｙ方向（第２方向）に５列配列されており、±Ｚ方向において、第２小レンズＬ２０が複数の第２小レンズＬ２の中央に位置し、第２小レンズＬ２１，Ｌ２２，Ｌ２３それぞれは、第２小レンズＬ２０の上下に順次配置される。
【００７７】
また、±Ｙ方向に５個配列されている第２小レンズＬ２０は、±Ｚ方向の輪郭形状が略同じ大きさに形成され、中央に位置する第２小レンズＬ２００、および第２小レンズＬ２００の両側に順次配置される第２小レンズＬ２０１，Ｌ２０２を有している。そして、光軸Ａｘは、第２小レンズＬ２００の中心に位置し、複数の第２小レンズＬ２は、光軸Ａｘを中心に点対称に形成されている。
【００７８】
図８に示すように、本実施形態の第２遮光板１６２には、第２遮光板６２の切欠き６２ａ、および突起部６２ｔと形状が異なる切欠き１６２ａ，１６２ｂ、および突起部１６２ｄ，１６２ｅが形成されている。そして、本実施形態の第２遮光板１７２には、第２遮光板７２の切欠き７２ａ、および突起部７２ｔと形状が異なる切欠き１７２ａ，１７２ｂ、および突起部１７２ｄ，１７２ｅが形成されている。
切欠き１６２ａ，１６２ｂ，１７２ａ，１７２ｂ、および突起部１６２ｄ，１６２ｅ，１７２ｄ，１７２ｅは、それぞれが矩形状に形成され、光軸Ａｘを中心として点対称に形成されている。
【００７９】
具体的に、切欠き１６２ａ，１７２ａは、第２小レンズＬ２００、および一対の第２小レンズＬ２０１それぞれの光軸Ａｘ側の領域それぞれに対応して形成されている。
切欠き１６２ｂ，１７２ｂは、一対の第２小レンズＬ２０２それぞれに対応して一対設けられ、第２小レンズＬ２０２の光軸Ａｘ側の領域それぞれに対応して形成されている。
【００８０】
突起部１６２ｄは、隣り合う切欠き１６２ａ，１６２ｂによって一対設けられ、それぞれが±Ｙ方向において、第２小レンズＬ２０１の光軸Ａｘとは反対側の略１／２の領域（第２小レンズＬ２０１の略中心から第２小レンズＬ２０２との略境界の間の領域）への重なりが可能に形成されている。
突起部１７２ｄは、隣り合う切欠き１７２ａ，１７２ｂによって一対設けられ、それぞれが±Ｙ方向において、第２小レンズＬ２０１の光軸Ａｘとは反対側の略１／２の領域への重なりが可能に形成されている。
【００８１】
突起部１６２ｅは、第２遮光板１６２の端部と切欠き１６２ｂとによって一対設けられ、それぞれが±Ｙ方向において、第２小レンズＬ２０２の光軸Ａｘとは反対側の略１／２の領域（第２小レンズＬ２０２の略中心から第２小レンズＬ２０２の光軸Ａｘとは反対側の端部までの領域）への重なりが可能に形成されている。
突起部１７２ｅは、第２遮光板１７２の端部と切欠き１７２ｂとによって一対設けられ、それぞれが±Ｙ方向において、第２小レンズＬ２０２の光軸Ａｘとは反対側の略１／２の領域への重なりが可能に形成されている。
【００８２】
このように、突起部１６２ｄ，１６２ｅ，１７２ｄ，１７２ｅおよび切欠き１６２ａ，１６２ｂ，１７２ａ，１７２ｂは、光軸Ａｘに沿う方向から見て、±Ｙ方向における第２小レンズＬ２０１，Ｌ２０２の１／２の領域に重なるように形成されている。
また、切欠き１６２ａ，１６２ｂの第２遮光板１６２の先端から凹む大きさ、つまり、突起部１６２ｄ，１６２ｅの突出量は、第２小レンズＬ２０の±Ｚ方向の輪郭の大きさの略１／２の大きさに形成されている。同様に、切欠き１７２ａ，１７２ｂの第２遮光板１７２の先端から凹む大きさ、つまり、突起部１７２ｄ，１７２ｅの突出量は、第２小レンズＬ２０の±Ｚ方向の輪郭の大きさの略１／２の大きさに形成されている。
【００８３】
図９は、遮光部１６，１７の回転角度と、スクリーン上における照度比との関係をシミュレーションした結果を示すグラフであり、本実施形態の調光装置を用いた場合と、従来の調光装置１００を用いた場合とを比較したグラフである。具体的に、図９（ａ）は、アークずれがない場合のグラフであり、曲線１００Ｎ（点線）は、従来の調光装置１００を用いた場合の特性を示し、曲線１５Ｎ（実線）は、本実施形態の調光装置を用いた場合の特性を示す。図９（ｂ）は、アークずれが発生した場合のグラフであり、曲線１００Ａ（点線）は、従来の調光装置１００を用いた場合の特性を示し、曲線１５Ａ（実線）は、本実施形態の調光装置を用いた場合の特性を示す。なお、図９（ｂ）においては、第１実施形態と同様に、アークずれが上方に発生した場合を例示して説明する。
【００８４】
アークずれがない場合、本実施形態の調光装置を用いた場合の照度比は、図９（ａ）に示すように、従来の調光装置１００を用いた場合と略同様になる。
【００８５】
アークずれがある場合、本実施形態の調光装置を用いた場合、第２状態において、突起部１６２ｄ，１６２ｅ，１７２ｄ，１７２ｅで遮光する光量と、切欠き１６２ａ，１６２ｂ，１７２ａ，１７２ｂを通過させる光量とのバランスが良好となるので、第２小レンズＬ２に形成される光源像に対応する光強度の急激な変化をさらになだらかにすることが可能となる。そして、照度比は、図９（ｂ）の曲線１５Ａで示すように、さらに変動が抑制されたものとなる。
【００８６】
以上説明したように、本実施形態の調光装置を備えるプロジェクターによれば、第１実施形態の調光装置５を備えるプロジェクター１の効果に加え、以下の効果を得ることができる。
（１）第２状態において、突起部１６２ｄ，１６２ｅ，１７２ｄ，１７２ｅで遮光する光と、切欠き１６２ａ，１６２ｂ，１７２ａ，１７２ｂで通過させる光とのバランスが良好となるので、アークずれが発生した場合であっても、第２小レンズＬ２に形成される光源像に対応する光強度の急激な変化をさらに抑制することが可能となる。よって、プロジェクター１は、長期に亘って照度ムラおよび色ムラをさらに抑制してコントラストを高めた画像の投写が可能となる。
【００８７】
（２）複数の第２小レンズＬ２、および第２遮光板１６２，１７２の切欠き１６２ａ，１６２ｂ，１７２ａ，１７２ｂ、突起部１６２ｄ，１６２ｅ，１７２ｄ，１７２ｅは、光軸Ａｘを中心に点対称に形成されているので、対称に配置される第２小レンズＬ２に形成される光源像に対応する光で光変調装置に重畳された光は、均一なものとなる。よって、プロジェクター１は、照度ムラおよび色ムラをさらに抑制してコントラストを高めた画像の投写が可能となる。
【００８８】
（３）切欠き１６２ａ，１６２ｂ，１７２ａ，１７２ｂ、および突起部１６２ｄ，１６２ｅ，１７２ｄ，１７２ｅは、光軸Ａｘを中心に点対称に形成されている。これによって、リレー光学系３４で導かれるＲ光は、光変調装置３５１Ｂ，３５１Ｇに導かれるＢ光、Ｇ光とは異なり、光源像が反転して光変調装置３５１Ｒに導かれるが、対称に配置される第２小レンズＬ２に形成される光源像に対応する光で光変調装置に重畳された光は、均一なものとなる。よって、プロジェクター１は、リレー光学系３４を備える構成においても、色ムラを抑制した画像の投写が可能となる。
【００８９】
（第３実施形態）
第３実施形態に係る調光装置２５について、図面を参照して説明する。以下の説明では、第１実施形態の調光装置５と同様の構成および同様の部材には、同一符号を付し、その詳細な説明は省略または簡略化する。
本実施形態の調光装置２５における遮光部８，９は、第１実施形態の遮光部６，７における第２遮光板６２，７２と形状が異なる第２遮光板８２，９２を備える。
【００９０】
図１０は、第２遮光板８２，９２を説明するための図であり、（ａ）は、最大遮光状態における遮光部８，９の側面図、（ｂ）は、第２状態における第２遮光板８２，９２の一部を光軸Ａｘに沿う方向から見た模式図である。
図１０（ａ）に示すように、遮光部８は、第１遮光板６１および第２遮光板８２を備え、遮光部９は、第１遮光板７１および第２遮光板９２を備える。
【００９１】
第２遮光板８２は、平面視矩形状の結合部８２１および結合部８２１から屈曲された屈曲部８２２を有している。結合部８２１は、第１実施形態の第２遮光板６２における結合部６２１（図３参照）と同様に形成されている。
屈曲部８２２は、第１実施形態の屈曲部６２２（図３参照）に対し、結合部８２１から屈曲される角度が、結合部６２１から屈曲される屈曲部６２２の角度より小さく、また、屈曲された部位からの長さが屈曲部６２２の長さより長く設定されている。さらに、屈曲部８２２には、図１０に示すように、第１実施形態の屈曲部６２２に形成された切欠き６２ａ（図３参照）とは異なる形状の切欠き８２ａが複数形成されている。
また、屈曲部８２２には、隣り合う切欠き８２ａで形成された複数の突起部８２ｂが設けられている。
【００９２】
第２遮光板９２は、平面視矩形状の結合部９２１および結合部９２１から屈曲された屈曲部９２２を有している。結合部９２１は、第１実施形態の第２遮光板７２における結合部７２１（図３参照）と同様に形成されている。
屈曲部９２２は、第１実施形態の屈曲部７２２（図３参照）に対し、結合部９２１から屈曲される角度が、結合部７２１から屈曲される屈曲部７２２の角度より小さく、また、屈曲された部位からの長さが屈曲部７２２の長さより長く設定されている。さらに、屈曲部９２２には、図１０に示すように、第１実施形態の屈曲部７２２に形成された切欠き７２ａ（図３参照）とは異なる形状の切欠き９２ａが複数形成されている。
また、屈曲部９２２には、隣り合う切欠き９２ａで形成された複数の突起部９２ｂが設けられている。
【００９３】
切欠き８２ａ，９２ａおよび突起部８２ｂ，９２ｂは、それぞれが矩形状に形成され、図１０（ａ）に示すように、最大遮光状態において、突起部８２ｂが切欠き９２ａに挿入され、突起部９２ｂが切欠き８２ａに挿入されるように設定されている。また、切欠き８２ａ，９２ａは、突起部９２ｂ，８２ｂが挿入された挿入状態において、±Ｙ方向（第２方向）において、突起部８２ｂ，９２ｂとの間に隙間を有するように形成されている。
【００９４】
図１１は、遮光部８，９および第２レンズアレイ３２２の側面図であり、（ａ）は最大遮光状態を示す図、（ｂ）、（ｃ）は、最大遮光状態から遮光部８，９が回転され、遮光部８と遮光部９との間隔が次第に大きくなる状態を例示した図である。
遮光部８，９は、図１１に示すように、また、第１実施形態の遮光部６，７と同様に、光軸Ａｘに沿う方向から見て、±Ｚ方向（第１方向）に沿って開閉するように回転する。
【００９５】
本実施形態の遮光部８，９は、屈曲部８２２，９２２が上述したように形成されているので、第１実施形態の遮光部６，７より小さな回転角度で第１状態から第２状態に切り替わる。そして、詳細な図示は省略するが、遮光部８，９は、第１状態から第２状態に切り替わる際にも、挿入状態となり、この挿入状態で切欠き８２ａ，９２ａと突起部８２ｂ，９２ｂとの間の隙間から光を通過させる。そして、この隙間を通過した光は、第２小レンズＬ２０に射出される。
【００９６】
図１２は、遮光部８，９の回転角度と、スクリーン上における照度比との関係をシミュレーションした結果を示すグラフであり、本実施形態の調光装置２５を用いた場合と、従来の調光装置１００を用いた場合とで比較したグラフである。具体的に、図１２（ａ）は、アークずれがない場合のグラフであり、曲線１００Ｎ（点線）は、従来の調光装置１００を用いた場合の特性を示し、曲線２５Ｎ（実線）は、本実施形態の調光装置２５を用いた場合の特性を示す。図１２（ｂ）は、アークずれが発生した場合のグラフであり、曲線１００Ａ（点線）は、従来の調光装置１００を用いた場合の特性を示し、曲線２５Ａ（実線）は、本実施形態の調光装置２５を用いた場合の特性を示す。なお、図１２（ｂ）においては、第１実施形態と同様に、アークずれが上方に発生した場合を例示して説明する。
【００９７】
遮光部８，９は、第１実施形態の遮光部６，７より小さな回転角度で第１状態から第２状態に切り替わるので、遮光部６，７より小さな回転角度から照度比を０に近づけることができる。例えば、図１２（ｂ）に示すように、回転角度が約１５°において、従来の調光装置１００を用いた場合の照度比は約−０．２であるが、本実施形態の調光装置２５を用いた場合の照度比は、約０となる。
【００９８】
以上説明したように、本実施形態の調光装置を備えるプロジェクターによれば、以下の効果を得ることができる。
遮光部８，９は、最大遮光状態からの回転角度がより小さな角度で、第１状態から第２状態に切り替えられるので、プロジェクター１は、より広範囲の回転角度で照度ムラおよび色ムラを抑制してコントラストを高めた画像の投写が可能となる。
【００９９】
（変形例）
なお、前記実施形態は、以下のように変更してもよい。
第１実施形態の第２遮光板６２，７２は、±Ｙ方向（第２方向）に並設された複数の第２小レンズＬ２０全てに対応して突起部６２ｔ，７２ｔおよび切欠き６２ａ，７２ａが形成されているが、±Ｙ方向（第２方向）に並設された複数の第２小レンズＬ２０のうち、少なくとも１つに対応する突起部６２ｔ，７２ｔおよび切欠き６２ａ，７２ａを有するように第２遮光板６２，７２を形成してもよい。
【０１００】
第１実施形態の突起部６２ｔ，７２ｔおよび切欠き６２ａ，７２ａは、矩形状に形成されているが、矩形状に限らず、例えば三角状、台形状や半円状であってもよい。また、これらの異なる形状の突起部や切欠きが混在するように、第２遮光板を形成してもよい。
同様に、第３実施形態の突起部８２ｂ，９２ｂおよび切欠き８２ａ，９２ａは、矩形状に形成されているが、挿入状態が可能で、この挿入状態において、±Ｙ方向（第２方向）に隙間を有するような形状であれば矩形状に限らず他の形状であってもよい。
【０１０１】
第２実施形態における突起部１６２ｄ，１７２ｄは、第２小レンズＬ２０１の略中心から第２小レンズＬ２０２との略境界の間の領域への重なりが可能に形成されている。すなわち、突起部１６２ｄ，１７２ｄは、±Ｙ方向における縁部が隣り合う第２小レンズＬ２０の境界に重なるように形成されているが、１つの第２小レンズＬ２０に対し、突起部が重なる領域および切欠きが重なる領域が±Ｙ方向においてそれぞれ略１／２であれば、突起部の縁部が隣り合う第２小レンズＬ２０の境界からずれたように形成されてもよい。
【０１０２】
前記実施形態のプロジェクター１は、光変調装置３５１として透過型の液晶パネルを用いているが、反射型の液晶パネルを利用したものであってもよい。
また、前記実施形態の光変調装置３５１は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
また、光変調装置としてマイクロミラー型の光変調装置、例えば、ＤＭＤ（Digital Micromirror Device）等を利用したものであってもよい。
【０１０３】
前記実施形態の光源装置３１は、放電型の光源３１１を採用しているが、その他の方式の光源や発光ダイオード、レーザー等の固体光源で構成してもよい。
【符号の説明】
【０１０４】
１…プロジェクター、５，２５，１００…調光装置、６，７，８，９，１６，１７，１００Ｄ，１００Ｕ…遮光部、６１，７１，１０１Ｄ，１０１Ｕ…第１遮光板、６１ａ，７１ａ…角切欠部、６２，７２，８２，９２，１０２Ｄ，１０２Ｕ，１６２，１７２…第２遮光板、６２ｔ，７２ｔ，８２ｂ，９２ｂ，１６２ｄ，１６２ｅ，１７２ｄ，１７２ｅ…突起部、３１１…光源、３２１…第１レンズアレイ、３２２…第２レンズアレイ、３５１，３５１Ｂ，３５１Ｇ，３５１Ｒ…光変調装置、Ｌ１…第１小レンズ、Ｌ２…第２小レンズ。
【図１】
2015219390.tif 000003
【図２】
2015219390.tif 000004
【図３】
2015219390.tif 000005
【図４】
2015219390.tif 000006
【図５】
2015219390.tif 000007
【図６】
2015219390.tif 000008
【図７】
2015219390.tif 000009
【図８】
2015219390.tif 000010
【図９】
2015219390.tif 000011
【図１０】
2015219390.tif 000012
【図１１】
2015219390.tif 000013
【図１２】
2015219390.tif 000014